(57)【特許請求の範囲】
【請求項１】
浴槽に浸かっている入浴者の心電信号を浴槽に貯留されたお湯を介して検出する、浴槽に浸かった入浴者の心臓を挟むように浴槽の左右両側壁に設置された一対の電極及び浴槽に浸かった入浴者の足元側における浴槽の側壁に設置された電極と、
前記電極によって検出された入浴者の心電信号に基づいて、数値化された所定の心拍データを作成する心拍データ作成手段と、
風呂給湯器を操作するために浴室及び台所に設置された、風呂給湯器の運転動作を制御するコントローラ及び表示部を有する操作手段とを備え、
入浴者の心電信号が検出されている間は、前記心拍データ作成手段によって作成された前記心拍データを、通信手段を介して前記操作手段に送信し、前記心拍データを含む入浴者の心拍関連情報を前記操作手段の表示部に表示し、
入浴者の心電信号が検出されない状態が所定時間継続すると、風呂給湯器関連情報を前記操作手段の表示部に表示するようになっていることを特徴とする心拍情報報知システム。
【発明の詳細な説明】
【０００１】
【発明の属する技術分野】
この発明は、浴槽に浸かっている入浴者の心拍情報を入浴者等に報知するための心拍情報報知システムに関する。
【０００２】
【従来の技術】
例えば、特開平５−９５９２１号公報に開示されているように、浴槽に浸かっている入浴者の心拍数等の心拍情報を入浴者等に報知する心拍情報報知システムが従来から提案されている。
【０００３】
この心拍情報報知システムは、図５に示すように、浴槽Ｂに浸かっている入浴者の心電信号を検知するために浴槽Ｂ内に設置される電極５１と、この電極５１によって検出された入浴者の心電信号に基づいて、心拍数等の数値化された心拍データを作成するＣＰＵ等からなる心拍データ作成部やこの心拍データ作成部によって作成された心拍データを表示する表示部等を備えた、浴室内に設置される本体部５２とから構成されており、浴槽Ｂに浸かった入浴者が、本体部５２のスイッチをＯＮすることによって、心拍数等の入浴者自身の心拍情報が本体部５２の表示部に連続的に表示されるようになっている。従って、心臓機能障害等を有する入浴者は、本体部５２に表示される心拍情報に基づいて、心臓の状態変化を的確に把握することができ、心臓の負担が大きくなる前に浴槽から出ることができる。
【０００４】
【発明が解決しようとする課題】
しかしながら、このような心拍情報報知システム５０では、上述したように、専用の表示部を備えた本体部５２を浴室内に別途設置しなければならず、特に、入浴者以外の家族の人に同様の心拍情報を報知するためには、台所等の浴室以外の部屋にも専用の表示装置を設置しなければならない。従って、通常、浴室や台所等の壁面に設置される風呂給湯器用の操作リモコンの設置スペース以外に余分なスペースを確保しなければならず、また、浴室内に設置された本体部５２や他室に設置された専用の表示装置に電源を供給するための電源装置を別途設けなければならないので、こういった心拍情報報知システム５０を簡単かつ安価に実現することができないといった問題がある。
【０００５】
そこで、この発明の課題は、専用の表示装置や電源装置等を別途設置することなく、簡易かつ安価に入浴者の心拍情報を報知することのできる心拍情報報知システムを提供することにある。
【０００６】
【課題を解決するための手段及びその効果】
上記の課題を解決するため、請求項１にかかる発明は、浴槽に浸かっている入浴者の心電信号を浴槽に貯留されたお湯を介して検出する、浴槽に浸かった入浴者の心臓を挟むように浴槽の左右両側壁に設置された一対の電極及び浴槽に浸かった入浴者の足元側における浴槽の側壁に設置された電極と、前記電極によって検出された入浴者の心電信号に基づいて、数値化された所定の心拍データを作成する心拍データ作成手段と、風呂給湯器を操作するために浴室及び台所に設置された、風呂給湯器の運転動作を制御するコントローラ及び表示部を有する操作手段とを備え、入浴者の心電信号が検出されている間は、前記心拍データ作成手段によって作成された前記心拍データを、通信手段を介して前記操作手段に送信し、前記心拍データを含む入浴者の心拍関連情報を前記操作手段の表示部に表示し、入浴者の心電信号が検出されない状態が所定時間継続すると、風呂給湯器関連情報を前記操作手段の表示部に表示するようになっていることを特徴とする心拍情報報知システムを提供するものである。
【０００７】
以上のように、この心拍情報報知システムでは、入浴者の心拍関連情報を風呂給湯器の操作手段を介して報知するようにしたので、浴室や台所等に専用の表示装置や電源装置等を別途設置する必要がなく、従来の心拍情報報知システムに比べて、簡易かつ安価に入浴者の心拍関連情報を報知することができる。
【０００８】
また、電極によって検出される心電信号のようなデータ量の大きい連続したアナログデータをそのままの状態で操作手段に送信するのではなく、例えば、単位時間当りの心拍数のように、数値化されたデータ量の小さな心拍データに加工した状態で操作手段に送信しているので、風呂給湯器と操作手段との間に通信障害が発生しにくく、風呂給湯器の運転動作に影響を与えることなく、操作手段を介して入浴者の心拍関連情報を確実に報知することができる。
【０００９】
また、この心拍情報報知システムでは、入浴者の心電信号が検出されている間は、心拍データ作成手段によって作成された心拍データを、通信手段を介して操作手段に送信し、心拍データを含む入浴者の心拍関連情報を操作手段の表示部に表示し、入浴者の心電信号が検出されない状態が所定時間継続すると、風呂給湯器関連情報を操作手段の表示部に表示するようになっているので、入浴者が浴槽に浸かっている間は、入浴者の心拍関連情報が確実に表示され、報知モードの切替を入浴者等の人為操作に委ねる場合のように、操作ミスや操作忘れ等に起因した心拍関連情報の非表示状態を確実に防止することができる。
【００１４】
【発明の実施の形態】
以下、実施の形態について図面を参照して説明する。図１に示すように、この心拍情報報知システム１は、浴室Ｒ内に設置された浴槽Ｂに対する自動注湯機能や追焚機能の他、シャワーやカラン等への給湯機能を備えた風呂給湯器１０と、この風呂給湯器１０を操作するための操作手段として、浴室Ｒ及び台所に設置される浴室用操作リモコン２０ａ及び台所用操作リモコン２０ｂと、浴槽Ｂに浸かっている入浴者の心電信号を検出するために浴槽Ｂ内に設置される心拍検出電極３１、３２、３３と、これらの心拍検出電極３１、３２、３３がそれぞれ接続され、心拍検出電極３１、３２、３３によって検出された心電信号に基づいて、１分間当りの心拍数に数値化された心拍データを作成する心拍データ作成手段としての心拍数演算ユニット４０とを備えており、この心拍数演算ユニット４０には、前記風呂給湯器１０から電源の供給が行われるようになっている。なお、図１は、通信系統の理解を容易にするために、通信系統（破線）と電源系統（実線）とを分離した状態で概念的に示しているが、実際は、図２に示すように、心拍数演算ユニット４０と浴室用操作リモコン２０ａ及び台所用操作リモコン２０ｂとが、風呂給湯器１０の端子台を介して、直流電圧に信号を重畳して伝送する２芯線によって接続されている。
【００１５】
前記風呂給湯器１０、前記浴室用操作リモコン２０ａ及び台所用操作リモコン２０ｂには、通信手段であるシリアルインターフェースを介して相互に通信可能なコントローラ１１、２１ａ、２１ｂがそれぞれ搭載されており、これらのコントローラ１１、２１ａ、２１ｂが相互に連携をとりながら、風呂給湯器１０の運転動作を統括的に制御している。
【００１６】
また、浴室用操作リモコン２０ａ及び台所用操作リモコン２０ｂは、風呂設定温度、給湯設定温度等の風呂給湯器関連情報や入浴者の心拍数等の心拍関連情報等を表示する表示部２２ａ、２２ｂをそれぞれ備えており、これらの表示部２２ａ、２２ｂには、風呂給湯器関連情報または心拍関連情報のいずれを表示させるのかを切り替える（選択する）ための報知モード切替（選択）用のメニュースイッチ（図示せず）が表示されるようになっている。
【００１７】
一対の心拍検出電極３１、３２は、浴槽Ｂに浸かった入浴者の心臓を挟むように、浴槽Ｂにおける一端側の左右両側壁に、残りの心拍検出電極（中性点）３３は、浴槽Ｂに浸かった入浴者の足元側（他端側）における浴槽Ｂの側壁にそれぞれ設置されており、各心拍検出電極３１、３２、３３は、浴槽Ｂに貯留されたお湯を介して心電信号が検出されるように、所定の高さ位置に設置されている。
【００１８】
前記心拍数演算ユニット４０は、通信手段であるシリアルインターフェースを介して、浴室用操作リモコン２０ａや台所用操作リモコン２０ｂに通信可能に接続されており、この心拍数演算ユニット４０によって作成された心拍データ（１分間当りの心拍数）が、所定の時間間隔（例えば、２秒間隔）で浴室用操作リモコン２０ａや台所用操作リモコン２０ｂのコントローラ２１ａ、２１ｂに送信されるようになっている。
【００１９】
この心拍数演算ユニット４０は、図３に示すように、心拍検出電極３１、３２、３３がそれぞれ接続され、心拍検出電極３１、３２、３３によって検出された心電信号から周波数の高いインパルスノイズを除去する第１フィルタ回路４１と、この第１フィルタ回路４１によってノイズが除去された心電信号を増幅する差動増幅回路４２と、この差動増幅回路４２によって増幅された心電信号から電源周波数以上のノイズを除去する第２フィルタ回路４３と、この第２フィルタ回路４３によってノイズが除去された心電信号を再度増幅する増幅回路４４と、この増幅回路４４によって増幅された心電信号が入力される演算回路としてのマイクロコンピュータ４５とを備えており、このマイクロコンピュータ４５が、入力された心電信号に基づいて１分間当りの心拍数に数値化された心拍データを作成し、この心拍データをシリアルインターフェース（Ｉ／Ｆ）４６を介して浴室用操作リモコン２０ａや台所用操作リモコン２０ｂのコントローラ２１ａ、２１ｂに送信するようになっている。
【００２０】
以上のように構成された心拍情報報知システム１では、浴室用操作リモコン２０ａまたは台所用操作リモコン２０ｂの運転スイッチをＯＮすると、浴室用操作リモコン２０ａ及び台所用操作リモコン２０ｂの表示部２２ａ、２２ｂに、風呂設定温度や給湯設定温度等の風呂給湯器関連情報が自動的に表示されるが、浴槽Ｂに浸かった入浴者または入浴者以外の家族の人が、浴室用操作リモコン２０ａまたは台所用操作リモコン２０ｂを操作することによって、報知モード切替（選択）用のメニュースイッチを表示させ、このメニュースイッチによって心拍関連情報の報知モードに切り替えると、浴室用操作リモコン２０ａ及び台所用操作リモコン２０ｂの表示部２２ａ、２２ｂに入浴者の心拍数が表示される。
【００２１】
なお、入浴者が浴槽Ｂから出る際に、報知モード切替（選択）用のメニュースイッチによって風呂給湯器関連情報の報知モードに切り替えると、その時点で風呂給湯器関連情報が浴室用操作リモコン２０ａ及び台所用操作リモコン２０ｂの表示部２２ａ、２２ｂに表示されるが、入浴者が浴槽Ｂから出ると、心電信号が検出されなくなるので、心電信号が検出されない状態が所定時間継続すると、自動的に風呂給湯器関連情報の報知モードに切り替わるようになっている。
【００２２】
以上のように、この心拍情報報知システム１では、浴槽Ｂに設置された心拍検出電極３１、３２、３３によって検出された心電信号に基づいて入浴者の心拍データ（心拍数）を算出する心拍数演算ユニット４０を設け、この心拍数演算ユニット４０に風呂給湯器１０から電源の供給を行うと共に、心拍数演算ユニット４０から浴室用操作リモコン２０ａや台所用操作リモコン２０ｂのコントローラ２１ａ、２１ｂに心拍データ（心拍数）を送信することで、入浴者の心拍データ（心拍数）を風呂給湯器１０の浴室用操作リモコン２０ａや台所用操作リモコン２０ｂの表示部２２ａ、２２ｂに表示させるようにしたので、浴室Ｒや台所等に専用の表示装置や電源装置を別途設置する必要がなく、従来の心拍情報報知システムに比べて、簡易かつ安価に入浴者の心拍関連情報を報知することができる。
【００２３】
また、上述したように、心拍検出電極３１、３２、３３によって検出されたデータ量の大きいアナログデータである心電信号をそのままの状態で浴室用操作リモコン２０ａや台所用操作リモコン２０ｂに送信するのではなく、別途設けた心拍数演算ユニット４０によって、数値化されたデータ量の小さな心拍データ（心拍数）に加工した状態で送信しているので、風呂給湯器１０と浴室用操作リモコン２０ａや台所用操作リモコン２０ｂとの間に通信障害が発生しにくく、風呂給湯器１０の運転動作に影響を与えることなく、浴室用操作リモコン２０ａや台所用操作リモコン２０ｂを介して入浴者の心拍関連情報を確実に報知することができる。
【００２４】
また、この心拍情報報知システム１では、浴室用操作リモコン２０ａや台所用操作リモコン２０ｂに、風呂給湯器関連情報の報知モードと心拍関連情報の報知モードとを切り替えるための報知モード切替（選択）用のメニュースイッチを設けることで、必要に応じて報知モードを切り替えることができるようにしたので、例えば、心拍関連情報の報知を望む人が入浴している場合にだけ、心拍関連情報を報知させることも可能となる。
【００２５】
なお、上述した実施形態では、心拍数演算ユニット４０によって作成した心拍データを浴室用操作リモコン２０ａや台所用操作リモコン２０ｂに直接送信するようにしているが、これに限定されるものではなく、例えば、図４に示す心拍情報報知システム２のように、心拍数演算ユニット４０によって作成された心拍データを、風呂給湯器１０のコントローラ１１に送信することによってコントローラ１１の記憶部に一端記憶させ、コントローラ１１が、浴室用操作リモコン２０ａや台所用操作リモコン２０ｂとの間の通信状態を監視しながら、記憶部に一旦記憶された心拍データを、シリアルインターフェースを介して、浴室用操作リモコン２０ａや台所用操作リモコン２０ｂに順次送信するようにしておくことも可能である。
【００２６】
特に、このような構成を採用すると、風呂給湯器１０のコントローラ１１が、浴室用操作リモコン２０ａや台所用操作リモコン２０ｂとの間で、風呂給湯器１０に関連する重要なデータを優先して送受信しながら、心拍データを確実に浴室用操作リモコン２０ａや台所用操作リモコン２０ｂに送信することができるので、上述したように、心拍数演算ユニット４０から浴室用操作リモコン２０ａや台所用操作リモコン２０ｂに心拍データを直接送信する場合に比べてデータ送信の自由度が広がり、さらに、円滑かつ確実に心拍データを浴室用操作リモコン２０ａや台所用操作リモコン２０ｂに送信することが可能となる。
【００２７】
また、上述した実施形態では、浴室用操作リモコン２０ａまたは台所用操作リモコン２０ｂの表示部２２ａ、２２ｂに表示される、報知モード切替（選択）用のソフトスイッチを入浴者等に操作させることによって、入浴者の心拍関連情報を報知するようにしているが、これに限定されるものではなく、入浴者が浴槽Ｂに浸かっている間は心電信号が検出されるので、心電信号が検出されている間、自動的に心拍関連情報の報知モードに切り替えるようにしてもよく、これによって、報知モードの切替を入浴者等の人為操作に委ねる場合に発生する操作ミスや操作忘れ等に起因した心拍関連情報の非報知状態を確実に防止することができる。
【００２８】
また、上述した実施形態では、基本的に心拍数のみを浴室用操作リモコン２０ａまたは台所用操作リモコン２０ｂの表示部２２ａ、２２ｂに表示させるようにしているが、これに限定されるものではなく、心拍数演算ユニット４０が一定時間毎に算出した心拍データ（心拍数）を記憶しておき、記憶された心拍データ（心拍数）に基づいて、一定時間内における心拍数の平均値、最大値、最小値等を算出し、これらを浴室用操作リモコン２０ａまたは台所用操作リモコン２０ｂの表示部２２ａ、２２ｂに表示させるようにしてもよい。
【００２９】
特に、上述したように、心拍数演算ユニット４０から風呂給湯器１０のコントローラ１１に心拍データ（心拍数）を送信して、コントローラ１１の記憶部に一旦記憶させる場合は、記憶部に記憶された心拍データ（心拍数）に基づいて、コントローラ１１に、心拍数の平均値、最大値、最小値等を算出させることも可能である。
【００３０】
また、上述した実施形態では、浴室用操作リモコン２０ａ及び台所用操作リモコン２０ｂの表示部２２ａ、２２ｂに心拍数等の心拍データを単に表示しているだけであるが、例えば、入浴者の心拍数が異常に高くなったような場合、浴室用操作リモコン２０ａまたは台所用操作リモコン２０ｂから音声やブザー等を発することによって、入浴者等に浴槽Ｂから出ることを促すようにしてもよい。
【００３１】
また、上述した実施形態では、風呂給湯器関連情報と心拍関連情報とを切り替えて、浴室用操作リモコン２０ａ及び台所用操作リモコン２０ｂの表示部２２ａ、２２ｂに表示させるようになっているが、双方を同時に表示することができるのであれば、あえて、切替表示させる必要はなく、入浴時には双方の情報を同時に表示させればよい。
【００３２】
また、上述した実施形態では、心拍関連情報を浴室用操作リモコン２０ａ及び台所用操作リモコン２０ｂの双方の表示部２２ａ、２２ｂにそれぞれ表示させるようになっているが、いずれか一方の表示部に表示させることも可能である。
【図面の簡単な説明】
【図１】この発明にかかる心拍情報報知システムの一実施形態を示す概略構成図である。
【図２】同上の心拍情報報知システムにおける実際の配線状態を示す図である。
【図３】同上の心拍情報報知システムにおける心拍数演算ユニットを示すブロック図である。
【図４】他の実施形態である心拍情報報知システムを示す概略構成図である。
【図５】従来の心拍情報報知システムを示す概略構成図である。
【符号の説明】
１、２  心拍情報報知システム
１０  風呂給湯器
１１  コントローラ（制御手段）
２０ａ  浴室用操作リモコン（操作手段）
２０ｂ  台所用操作リモコン（操作手段）
２１ａ、２１ｂ  コントローラ
２２ａ、２２ｂ  表示部
３１、３２、３３  心拍検出電極（電極）
４０  心拍数演算ユニット（心拍データ作成手段）
４６  シリアルインターフェース（通信手段）
Ｂ  浴槽
Ｒ  浴室
【図１】
0003934407.tif 000002
【図２】
0003934407.tif 000003
【図３】
0003934407.tif 000004
【図４】
0003934407.tif 000005
【図５】
0003934407.tif 000006